(57)【要約】【課題】複数枚を重ね置きした場合にも滑らないようにする。【解決手段】ディスク基板の片面に記録層及びその上層のカバー層を設け、他面に画像印刷層５を設けた光ディスク１において、画像印刷層５の表面外周部に他の表面部位よりも摩擦係数を高めた環状の滑り止め部６を設けた。【選択図】      図１
2004227732.tif 000002
【特許請求の範囲】
【請求項１】
一方のディスク面または他方のディスク面の少なくともいずれかの表面の外周部に、他の表面部位よりも摩擦係数を高めた滑り止め部を設けたことを特徴とする光ディスク。
【請求項２】
ディスク基板の一方の面側に記録層とその上層のカバー層とが設けられる共に、ディスク基板の他方の面側に画像印刷層が設けられており、前記画像印刷層の表面外周部に前記滑り止め部が環状に設けられていることを特徴とする請求項１記載の光ディスク。
【発明の詳細な説明】
【０００１】
【発明の属する技術分野】
本発明は、ＣＤ、ＤＶＤ、Ｂｌｕ−ｒａｙ等の情報記録・再生用の光ディスクに関する。
【０００２】
【従来の技術】
近年、ＣＤ、ＤＶＤ等の光ディスクが広く普及し、音楽や映像の記録再生、コンピュータのデータ保存用等、様々な分野で用いられている。また、ＤＶＤを超える記録容量を有する光ディスクの規格として、Ｂｌｕ−ｒａｙと呼ばれる規格も新たに提案されてきている。Ｂｌｕ−ｒａｙディスクは、ディスク基板の少なくとも片面に記録層を形成し、その記録層の上に、レーザ光の透過するプラスチックシートよりなるカバー層を設け、カバー層を通してレーザ光を記録層に照射することで、記録層に記録されている信号を読み取ることができるようになっている。
【０００３】
ＣＤ、ＤＶＤ及びＢｌｕ−ｒａｙディスク等の光ディスクにおいて、片面だけに記録層を設けた場合、反対面に文字、画像、レーベル等を印刷するための画像印刷層が一般的に設けられている。
【０００４】
また、この種の光ディスクの中には、暗いところでも、あるいは、視覚障害者でも表裏面が識別できるように、外周縁や内周縁に表裏判別部を設けたり、画像印刷層に夜光性塗料や判別マーク等による表裏判別部を設けたりすることが行われているものもある（例えば、特許文献１、特許文献２参照）。
【０００５】
【特許文献１】
特開平９−２５９４７３号公報
【０００６】
【特許文献２】
特開２００２−９２９６５号公報
【０００７】
【発明が解決しようとする課題】
ところで、こうした光ディスクを取り扱う場合、好ましくは光ディスクをケースや袋にその都度入れて保管するのが最適であると言えるが、ときにいちいちケースや袋に入れるのが面倒であるがゆえに、ケースや袋から取り出した裸の状態のままで机の上などに平積みすることもしばしば見受けられる。大量の光ディスクを取り扱う場合には、特にそのような光景がよく見受けられる。
【０００８】
しかし、光ディスクを重ねて置く場合、重なり合ったディスクの接触面同士が滑りやすいために、落下してディスクに傷が付いたり、下に落とさないまでも、重なり合った面の間に介在するゴミにより、ディスク同士が滑った際に表面に擦り傷が付いたりするおそれがあった。特にＢｌｕ−ｒａｙディスクにおいて、カバー層と画像印刷層が同じ物理特性のプラスチックシートで形成されているような場合、特に滑りやすくなるので、そのようなおそれが高かった。また、Ｂｌｕ−ｒａｙディスクの場合は、特にカバー層が０．１ｍｍ程度と薄いため、表面傷は記録再生光の収束性に影響を与え記録再生特性を劣化させる他、極端な場合には記録層にまで擦り傷が達してしまう。
【０００９】
本発明は、上記事情を考慮し、複数枚を重ね置きした場合にも滑らないようにした光ディスクを提供することを目的とする。
【００１０】
【課題を解決するための手段】
請求項１の発明の光ディスクは、一方のディスク面または他方のディスク面の少なくともいずれかの表面の外周部に、他の表面部位よりも摩擦係数を高めた滑り止め部を設けたことを特徴とする。この場合の滑り止め部は、例えば、ウレタンゴム等の高摩擦材をシート状にして貼り付けたり、高摩擦材を厚く粗い膜状に印刷処理（マット処理）したり、スリットの入ったシールを貼り付けたりすることで構成することができる。
【００１１】
このように摩擦係数を高めた滑り止め部をディスク面に設けた場合、ディスクを重ねた場合にも相手ディスク面との接触摩擦抵抗が大になるので、互いに滑りづらくなる。従って、誤操作による落下防止を果たすことができると共に、滑りによる擦り傷の発生も防ぐことができる。
【００１２】
また、滑り止め部はその他の表面部位と摩擦係数が違うから、例えば指で触るだけで滑り止め部の存否を確認することができる。ここで、ディスクを手で持つ場合には、ディスクの中心孔とディスクの外周部に指を当てて持つことが多いので、ディスク面の外周部にある滑り止め部を指で容易に確認することができる。
従って、片面だけに滑り止め部を設けてある場合は、滑り止め部の感触によりディスクの表裏識別を行うことができる。また、表裏面の両方に滑り止め部を設けてある場合であっても、表裏面の滑り止め部を互いに区別できる形態にしておくことで、ディスクの表裏識別を行うことができる。このため、暗いところ（例えば、夜の自動車内等）でも、ディスク面に触るだけで、ディスクの表裏面の判別が可能となり、間違った向きでドライブに装填することがなくなる。なお、視覚障害者にとっても同様の識別が可能となる。
【００１３】
請求項２の発明の光ディスクは、請求項１において、ディスク基板の一方の面側に記録層とその上層のカバー層とが設けられる共に、ディスク基板の他方の面側に画像印刷層が設けられており、前記画像印刷層の表面外周部に前記滑り止め部が環状に設けられていることを特徴とする。
【００１４】
この光ディスクの場合、非記録面側である画像印刷層側に滑り止め部を設けるので、記録面側に全く影響を及ぼす心配がない。また、ディスクを重ね置きする場合には、記録面側と画像印刷層側とが互いに接触するように重ね合わせることが普通であるから、片面だけに滑り止め部を設けるだけで十分満足できる成果を上げることができる。また、滑り止め部は表面外周部に環状に設けてあるから、どの向きに指を当てても滑り止め部の存否を確認することができる。
【００１５】
【発明の実施の形態】
以下、本発明の実施形態を図面に基づいて説明する。本実施形態では、Ｂｌｕ−ｒａｙ規格の光ディスクを例として説明を行う。図１は実施形態の光ディスクの斜視図、図２は１枚の光ディスクの拡大断面図である。なお、図２における寸法比率は、構成が分かるように誇張して描いてある。
【００１６】
この光ディスク１は中心孔１ａを有するもので、ディスク基板２の一方の面側に記録層３を形成し、その記録層３の上に、レーザ光の透過する透明なプラスチックシートよりなるカバー層４を形成し、ディスク基板２の他方の面側に、カバー層４と類似種のプラスチックシートよりなる画像印刷層５を形成し、その画像印刷層５の表面外周部に環状に滑り止め部６を形成したものである。Ｂｌｕ−ｒａｙディスクにおいて、このカバー層の厚みは、０．１ｍｍに設定されている。
【００１７】
滑り止め部６は、他の表面部位よりも摩擦係数を高めることで、重ね置きした場合に相手ディスク面との接触摩擦抵抗を大きくするための部分である。この滑り止め部６は、例えば、ウレタンゴム等の高摩擦材をシート状にして貼り付けることにより形成することができる。また、高摩擦材を貼り付ける代わりに、高摩擦材を厚く粗い膜状に印刷処理（マット処理）することにより形成することもできる。あるいは、細かいスリットの入ったシールを貼り付けることでも形成することができる。
【００１８】
このように、他の表面部位より摩擦係数を高めた滑り止め部６をディスク１の表面に設けることで、図１に示すように光ディスク１を重ね置きする場合にも、相手側の光ディスク１の表面との接触摩擦抵抗を大きくとることができる。従って、互いに滑りづらくなり、誤操作による落下防止を果たすことができるし、滑りによる擦り傷の発生も防ぐことができる。
【００１９】
また、滑り止め部６はその他の表面部位と摩擦係数が違うから、例えば、指で触るだけで滑り止め部６の存否を確認することができる。ここで、光ディスク１を手で持つ場合は、光ディスク１の中心孔１ａと光ディスク１の外周部に指を当てて持つことが多いので、ディスク面の外周部にある滑り止め部６を指で容易に確認することができる。従って、本例のように片面だけに滑り止め部６を設けてある場合、滑り止め部６の感触によって光ディスク１の表裏識別を行うことができる。このため、暗いところ（例えば、夜の自動車内等）で使用する場合、あるいは、視覚障害者が使用する場合でも、光ディスク１の面に触るだけで、ディスク１の表裏面の判別が可能であり、間違った向きでドライブに装填することがなくなる。
【００２０】
また、この光ディスク１の場合、非記録面側である画像印刷層５側にだけ滑り止め部６を設けているので、記録層３側に全く影響を及ぼす心配がない。また、滑り止め部６は表面外周部に環状に設けてあるから、どの向きに指を当てても滑り止め部６の存否を確認することができる等の効果が得られる。
【００２１】
なお、滑り止め部６は記録面側に設けることも可能であるが、記録面側は滑り止め部６の存在により記録領域が狭くなる等の影響を受ける可能性があるので、非記録面側にのみ滑り止め部６を設けるのが望ましい。ディスク１を重ね置きする場合には、記録層３側と画像印刷層５側とが互いに接触するように重ね合わせることが普通であるから、画像印刷層５側だけに滑り止め部６を設ければ、十分満足できる成果を上げることができる。
【００２２】
なお、表裏面の両方に滑り止め部６を設けることも可能であり、その場合は、表裏面の滑り止め部を互いに区別できる形態にしておくことで、ディスクの表裏識別を行うことができる。
【００２３】
なお、上記説明では、Ｂｌｕ−ｒａｙディスクを基に説明を行ったが、これに限られない。
【００２４】
図３は、ＣＤに滑り止め部を設けた例を示す図である。ＣＤ１０は、中心孔１０ａを有するもので、一方の面からレーザ光が入射する透明なディスク基板１１の他方の面側に記録層１２を形成し、その記録層１２の上に、画像を記録するための画像印刷層１３を形成し、その画像印刷層１３の表面外周部に環状に滑り止め部１４を形成したものである。ＣＤ１０において、基板１１の厚さは、約１．２ｍｍであり、全ディスク厚みがＢｌｕ−ｒａｙディスクと同様に１．２ｍｍとなるように構成されている。
【００２５】
図４は、ＤＶＤに滑り止め部を設けた例を示す図である。ＤＶＤ２０は、片面型のＤＶＤであり、中心孔２０ａを有するもので、２枚の基板２１及び２３の間に単層または２層の記録層２２を形成し、基板２２の記録層２３と反対側に画像形成層２４を形成し、その画像印刷層２４の表面外周部に環状に滑り止め部２５を形成したものである。ＤＶＤ２０において、基板２１及び２３の厚さは、共に約０．６ｍｍであり、全ディスク厚みがＣＤ及びＢｌｕ−ｒａｙディスクと同様に１．２ｍｍとなるように構成されている。
【００２６】
以上のように、Ｂｌｕ−ｒａｙディスクに限らず、ＣＤ、ＤＶＤ等の規格の光ディスクに同様の滑り止め部を適用することも可能である。
【００２７】
【発明の効果】
以上説明したように、請求項１の発明によれば、一方のディスク面または他方のディスク面の少なくともいずれかの表面の外周部に、他の表面部位よりも摩擦係数を高めた滑り止め部を設けているので、複数枚を重ね置きした場合にも互いに滑りづらくすることができる。従って、誤操作によるディスクの落下防止を果たすことができると共に、滑りによる擦り傷の発生も防ぐことができ、特にカバー層が薄いＢｌｕ−ｒａｙディスクに適用した場合に効果がある。また、滑り止め部だけ摩擦係数が違うので、触感によってディスクの表裏識別を行うこともできる。従って、暗いところで取り扱う場合や視覚障害者が使用する場合にも、触感によって容易かつ確実に表裏を判別することが可能である。また、このように滑り止め部によってディスクの表裏識別が可能であるから、従来のような別の表裏識別手段を設ける必要がない。つまり、滑り止め部が、滑り止めとしての本来の機能と表裏識別部としての機能の両方を果たすことができる。
【００２８】
請求項２の発明によれば、非記録面側である画像印刷層側に滑り止め部を設けているので、記録面側に全く影響を及ぼす心配がない。また、滑り止め部は画像印刷層の表面外周部に環状に設けてあるから、どの向きに指を当てても滑り止め部の存否を確認することができる。
【図面の簡単な説明】
【図１】本発明の実施形態の光ディスクの斜視図である。
【図２】光ディスク（Ｂｌｕ−ｒａｙ）の概略断面図である。
【図３】ＣＤの概略断面図である。
【図４】ＤＶＤの概略断面図である。
【符号の説明】
１  光ディスク
３  記録層
４  カバー層
５  画像印刷層
６  滑り止め部
【図１】
2004227732.tif 000003
【図２】
2004227732.tif 000004
【図３】
2004227732.tif 000005
【図４】
2004227732.tif 000006